(57)【要約】【課題】ルーバー窓の羽板ガラスを清掃するためのワイパー、特に、羽板ガラスの汚れを確実に除去できるように工夫されたワイパーを提供する。【解決手段】ワイパーは、柄部６と清掃部７とを有する一対の挟持アーム１，２を、基端の連結部３において連結軸４を中心に回動自在に連結することにより形成され、該連結軸４を中心に両挟持アーム１，２を相互に回動させることにより、両挟持アーム１，２の清掃部材９が互いに向き合う第１の使用状態と、両挟持アーム１，２の基台８の背面同士が相互に当接して上記清掃部材９が何れも外側を向く第２使用状態とに変更可能である。【選択図】図７
2011024880.tif 000002
【特許請求の範囲】
【請求項１】
基端の連結部において連結軸を中心に回動自在なるように連結された一対の挟持アームからなり、各挟持アームは、握持用の柄部と、該柄部の先端に連なる清掃部とを有していて、該清掃部が、上記柄部と一体の基台の内側面に柔軟な清掃部材を取り付けることにより形成され、
上記挟持アームを上記連結軸を中心に回動させることにより、両挟持アームの清掃部材が互いに向き合う第１の使用状態と、両挟持アームの基台の背面同士が相互に当接して両挟持アームの清掃部材が何れも外側を向く第２の使用状態とに変更可能であることを特徴とするルーバー窓の羽板ガラス用ワイパー。
【請求項２】
上記一対の挟持アームの使用時の位置ずれを防止するアームストッパを有し、このアームストッパは、一方の挟持アームに形成された凹部と、他方の挟持アームに形成されて該凹部に係止する凸部とからなり、このような凹部と凸部とが、各挟持アームの内側面と背面の両面に形成されていることを特徴とする請求項１に記載のワイパー。
【請求項３】
清掃部と柄部との境界部分に、互いに向き合う清掃部材間に挟持された羽板ガラスに当接して該羽板ガラスがそれ以上柄部側に進入するのを防止するガラスストッパを有することを特徴とする請求項１又は２に記載のワイパー。
【請求項４】
上記連結部は、一方の第１の挟持アームの基端部に形成された連結孔と、他方の第２の挟持アームの基端部に取り付けられて上記連結孔に嵌合する上記連結軸とを有し、上記連結孔は、上記第１の挟持アームの内側面−背面方向に細長く延在し、上記連結軸がこの連結孔の一端側に移動した状態で両挟持アームが上記第１の使用状態を占め、上記連結軸がこの連結孔の他端側に移動した状態で両挟持アームが上記第２使用状態を占めるように構成されていることを特徴とする請求項１から３の何れかに記載のワイパー。
【発明の詳細な説明】
【技術分野】
【０００１】
本発明は、ルーバー窓の羽板ガラスを清掃するためのワイパーに関するものである。
【背景技術】
【０００２】
最近の住宅はルーバー窓を備えているものが多い。このルーバー窓は、横に細長いガラス製の羽板（羽板ガラス）を上下に複数枚並べて配置したもので、ハンドル操作で各羽板ガラスの傾斜角度を調節することによって隣接する羽板ガラス間の間隔を調整し、それによって窓を開閉するものである。
【０００３】
このようなルーバー窓において、従来は、上記羽板ガラスが汚れた場合に雑巾を使用して該羽板ガラスを拭いていた。しかし、上記羽板ガラスは比較的狭い間隔で配置されているため、手に持った雑巾を羽板ガラス間に完全に挿入するのが難しく、清掃作業に支障を来すことがあった。しかも、ガラスのエッジが手に当たって怪我をする心配もあった。
【０００４】
一方、ルーバー窓と良く似た構成を有するブラインドの清掃には、特許文献１や特許文献２等に記載された清掃具が用いられている。この清掃具は、開閉自在の一対の挟持アームの先端部にスポンジを対向状に取り付けたもので、これらのスポンジ間にブラインドの羽板を挟持し、その状態で清掃具を該羽板に沿って移動させることにより、上記スポンジで羽板の両面の汚れを拭き取るものである。
【０００５】
そこで、上述したブラインド用清掃具の構成を、ルーバー窓の羽板ガラス用清掃具に応用することが考えられる。しかし、羽板ガラスはブラインドの羽板より厚みが大きく、しかも表面に凹凸が形成されているものもあるため、単にスポンジ間に羽板ガラスを挟持して該スポンジを移動させるだけでは、汚れを十分に拭き取れない場合がある。このため、清掃具に、羽板ガラスに付着した汚れを確実に除去できるような工夫を施すことが必要である。
【先行技術文献】
【特許文献】
【０００６】
【特許文献１】実開昭５２−１６３９５９号公報
【特許文献２】実開平２−６７９４５号公報
【発明の概要】
【発明が解決しようとする課題】
【０００７】
本発明の目的は、ルーバー窓の羽板ガラスを清掃するためのワイパー、特に、羽板ガラスの汚れを確実に除去できるように工夫されたワイパーを提供することにある。
【課題を解決するための手段】
【０００８】
上記目的を達成するため、本発明の羽板ガラス用ワイパーは、基端の連結部において連結軸を中心に回動自在なるように連結された一対の挟持アームにより形成されている。各挟持アームは、握持用の柄部と、該柄部の先端に連なる清掃部とを有していて、該清掃部が、上記柄部と一体の基台の内側面に柔軟な清掃部材を取り付けることにより形成され、上記挟持アームを上記連結軸を中心に回動させることにより、両挟持アームの清掃部材が互いに向き合う第１の使用状態と、両挟持アームの基台の背面同士が相互に当接して両挟持アームの清掃部材が何れも外側を向く第２の使用状態とに変更可能である。
【０００９】
本発明において好ましくは、上記ワイパーが、一対の挟持アームの使用時の位置ずれを防止するアームストッパを有し、このアームストッパが、一方の挟持アームに形成された凹部と、他方の挟持アームに形成されて該凹部に係止する凸部とからなり、このような凹部と凸部とが、各挟持アームの内側面と背面の両面に形成されていることである。
【００１０】
また、本発明のワイパーは、清掃部と柄部との境界部分に、互いに向き合う清掃部材間に挟持された羽板ガラスに当接して該羽板ガラスがそれ以上柄部側に進入するのを防止するガラスストッパを有することが望ましい。
【００１１】
本発明のワイパーにおいて、上記連結部が、一方の第１の挟持アームの基端部に形成された連結孔と、他方の第２の挟持アームの基端部に取り付けられて上記連結孔に嵌合する上記連結軸とを有し、上記連結孔は、上記第１の挟持アームの内側面−背面方向に細長く延在し、上記連結軸がこの連結孔の一端側に移動した状態で両挟持アームが上記第１の使用状態を占め、上記連結軸がこの連結孔の他端側に移動した状態で両挟持アームが上記第２使用状態を占めるように構成されていることが望ましい。
【発明の効果】
【００１２】
本発明のワイパーは、２つの挟持アームを第１の使用状態にすることにより、両挟持アームの相対する清掃部材間に羽板ガラスを挟持して清掃することができ、また、２つの挟持アームを第２の使用状態にすることにより、外側を向いた清掃部材を羽板ガラスの上面や下面に押し付けて汚れを擦り落とすことができ、この結果、羽板ガラスの汚れを確実に除去することができる。さらに、ワイパーを上記第２の使用状態にした場合には、サッシの清掃も行うことができる。
【図面の簡単な説明】
【００１３】
【図１】本発明に係るワイパーの一実施形態を示す第１の使用状態での側面図である。
【図２】図１のワイパーを斜め上方から見た斜視図である。
【図３】図１のワイパーを斜め下方から見た斜視図である。
【図４】図１におけるIV−IV線での拡大断面図である。
【図５】図１におけるV−V線での拡大断面図である。
【図６】図１におけるVI−VI線での拡大断面図である。
【図７】２つの挟持アームを開いた状態の斜視図である。
【図８】第２の挟持アームを３６０度回動させてワイパーを第２の使用状態とした場合の斜視図である。
【発明を実施するための形態】
【００１４】
図には本発明に係るルーバー窓の羽板ガラス用ワイパーの一実施形態が示されている。このワイパーは、基端の連結部３において連結軸４を中心に相互に回動自在なるように連結された第１の挟持アーム１及び第２の挟持アーム２からなるもので、これらの挟持アーム１，２は、握持用の柄部６と、該柄部６の先端に連なる清掃部７とを有し、該清掃部７が、上記柄部６と一体の基台８の内側面８ａに柔軟な清掃部材９を取り付けることにより形成されている。
【００１５】
そして、上方の第２の挟持アーム２を上記連結軸４を中心に正逆方向に３６０度回動させることにより、ワイパーの使用状態を、図１−図３のように、両挟持アーム１，２の清掃部材９が互いに向き合う第１の使用状態と、図８のように、両挟持アーム１，２の基台８の背面８ｂ同士が相互に当接し、これら両挟持アーム１，２の清掃部材９が何れも外側を向く第２の使用状態とに、変更できるようになっている。
【００１６】
上記一対の挟持アーム１，２の具体的構成は以下の通りである。先ず、第１の挟持アーム１の構成について説明する。この第１の挟持アーム１の上記柄部６と基台８とは、合成樹脂で一体に形成されている。このうち柄部６は、強度を高めるため、図４からも明らかなように、細長い平らな柄板１０の内側面（第２の挟持アーム２側を向く面）に複数のリブ１１を設けた構成を有しており、これらのリブ１１は、上記柄板１０の長さ方向に互いに平行に延び、その先端は上記基台８との境まで達している。図示した例では、全部で５本のリブ１１が形成されている。また、上記柄部６は全体的に上方に向けて緩やかに湾曲している。
【００１７】
一方、上記基台８は、上記柄板１０の先端に該柄板１０と一体に形成され、その厚さは該柄板１０と実質的に同じであり、その横幅は該柄板１０より広くされている。また、該基台８は、湾曲する上記柄部６と違って平坦である。該基台８の内側面８ａ即ち上記第２の挟持アーム２側を向く面は、平らな清掃部材用取付面となっていて、該取付面に、清掃部材取付用の２つの突起１４が形成されている。これらの突起１４は、上記基台８の幅方向の中間位置に、該基台８の長さ方向に間隔を開けて配設されている。
【００１８】
上記基台８の内側面８ａには、上記清掃部材９が取り付けられている。この清掃部材９は、長方形の四隅を円弧状に形成したような平面視形状と、一定の厚さとを有するもので、２つの取付孔１５を有しており、該清掃部材９の形状及び大きさは上記基台８の形状及び大きさと実質的に同じである。そして、この清掃部材９が、上記取付孔１５内に上記突起１４を嵌合させることにより位置決めされた状態で、接着剤や両面接着シート等で上記内側面８ａに取り付けられている。これらの基台８及び清掃部材９の長さは、図１及び図３に示すように、羽板ガラスＧの幅より大きい。
【００１９】
また、上記清掃部材９は、圧縮性と保水性とを有するスポンジ製基材９ａの表面（清掃面）に不織布製の摺擦体９ｂを取り付けることにより形成されており、その厚さは上記リブ１１の高さより小さい。従って、該清掃部材９を上記基台８に取り付けたとき、上記リブ１１の上端は該清掃部材９の清掃面よりも上方に突出している。
【００２０】
次に、上記第２の挟持アーム２の構成について説明する。この第２の挟持アーム２は、柄部６に形成された補強用のリブ１７と連結部３及び後述するストッパとに関する構成が上記第１の挟持アーム１と若干異なっているが、それ以外の構成は実質的にこの第１の挟持アーム１と同じである。従って、第１の挟持アーム１と同じ構成部分については、該第１の挟持アーム１で用いたものと同じ符号を付してその説明は省略し、相違する部分について以下に説明することとする。
【００２１】
即ち、上記第２の挟持アーム２の柄部６は、図５に示すように、細長い平らな柄板１０の内側面（第１の挟持アーム１側を向く面）に複数のリブ１７を設けた構成を有しているが、第１の挟持アーム１の場合と違って上記リブ１７は全部で４本形成され、これらのリブ１７の高さは、上記第１の挟持アーム１のリブ１１の高さより低い。
【００２２】
また、上記４本のリブ１７のうち、内側にある２本のリブ１７における基台８側の端部は、ワイパーの内側即ち第１の挟持アーム１側に向けて突出し、ストッパ用の凸部１８を形成しており、ワイパーが図１に示す第１の使用状態にあるとき、図６からも分かるように、上記凸部１８が、第１の挟持アーム１の中央のリブ１１とその両側のリブ１１との間の溝で形成された凹部１９内に嵌合、係止し、両挟持アーム１，２が左右方向に位置ずれするのを規制するようになっている。従って、上記凸部１８と凹部１９とは、両挟持アーム１，２の位置ずれを防止する第１のアームストッパを形成するもので、清掃部７と柄部６との境界部分に形成されていることになる。
【００２３】
上記連結部３は、第１の挟持アーム１の基端部に形成された細長い連結孔２３と、第２の挟持アーム２の基端部に取り付けられて上記連結孔２３に嵌合する上記連結軸４とを有している。この構成のため、上記第１の挟持アーム１の基端部には、該挟持アーム１の厚さ方向即ち内側面−背面方向に延びる細幅の連結縁枠２４が該挟持アーム１と一体に形成され、この連結縁枠２４に上記連結孔２３が形成されており、また、上記第２の挟持アーム２の基端部には、上記連結縁枠２４を挟む二股状の軸受部２５が該挟持アーム２と一体に形成され、この軸受部２５に上記連結軸４が取り付けられている。
【００２４】
そして、図７に示すように上記連結軸４を中心にして第２の挟持アーム２を回動させると、該連結軸４が回転しながら上記連結孔２３内を移動し、図１−図３に示すように、該連結軸４が連結孔２３の一端側に移動した状態で両挟持アーム１，２が上記第１の使用状態を占めることができ、図８に示すように、上記連結軸４が連結孔２３の他端側に移動した状態で両挟持アーム１，２が上記第２の使用状態を占めることができるようになっている。
【００２５】
また、上記両挟持アーム１，２には、これらの挟持アームが第２の使用状態にあるときの位置ずれを防止するため、第２のアームストッパが設けられている。この第２のアームストッパは、図示の例では第１の挟持アーム１の背面に形成された凹部２７と、第２の挟持アーム２の背面に形成されて該凹部２７に嵌合、係止する凸部２８とからなっている。しかし、これらの凹部２７と凸部２８との配置は、上記とは逆に、第１の挟持アーム１の背面に凸部２８を設け、第２の挟持アーム２の背面に凹部２７を設けたものであっても良い。上記凹部２７と凸部２８とは、上記第１のアームストッパの凹部１９及び凸部１８と同様に、清掃部７と柄部６との境界部分に形成されていることが望ましい。
【００２６】
上記構成を有するワイパーは、上記第１の使用状態と第２の使用状態とにおいてルーバー窓の羽板ガラスＧを清掃することができるものである。
先ず、図１に示す第１の使用状態では、一対の挟持アーム１，２の互いに向き合う２つの清掃部材９間に羽板ガラスＧを挟持し、その状態でワイパーを該羽板ガラスＧに沿って横に移動させることにより、該羽板ガラスＧの両面の汚れを清掃部材９で除去することができる。このとき、上記清掃部材９の長さは羽板ガラスＧの幅より大きいため、該羽板ガラスＧは全幅にわたり上下の清掃部材９間に挟持され、確実に汚れが落とされることになる。
【００２７】
また、上記両挟持アーム１，２の左右方向の位置ずれは、凸部１８と凹部１９とからなる第１のアームストッパによって防止されるため、清掃作業を円滑かつ安定的に行うことができる。しかも、ワイパーを強く羽板ガラスＧに押し付けても、該羽板ガラスＧは、両挟持アーム１，２に形成されたリブ１１及び凸部１８の端部に当接し、それ以上柄部６側に進入できないから、該羽板ガラスＧのエッジが手に当たって怪我をするおそれがない。従って、これらのリブ１１及び凸部１８は、羽板ガラスＧが柄部６側に進入するのを防止するガラスストッパを形成するものである。
【００２８】
次に、第２の挟持アーム２を３６０度回動させてワイパーを図８に示す第２の使用状態にすると、一対の挟持アーム１，２は、基台８の背面同士が相互に当接し、各々の清掃部材９が何れも外側を向く姿勢を占める。そこで、該ワイパーを上下の羽板ガラスＧの間に挿入し、上を向いた清掃部材９で上段の羽板ガラスＧの下面を清掃し、下を向いた清掃部材９で下段の羽板ガラスＧの上面を清掃するといったように、各々の清掃部材９で羽板ガラスＧを個々に清掃することができる。このとき、該羽板ガラスＧは、上記リブ１１又は凸部１８の端部に当接してそれ以上柄部６側に進入できないから、該羽板ガラスＧのエッジが手に当たって怪我をするおそれがない。
また、両挟持アーム１，２の左右方向の位置ずれは、凹部２７と凸部２８とからなる第２のアームストッパによって防止される。
【００２９】
なお、ワイパーを上記第２の使用状態にしたときは、上記清掃部材９でサッシ等を清掃することも可能である。
【符号の説明】
【００３０】
１      第１の挟持アーム
２      第２の挟持アーム
３      連結部
４      連結軸
６      柄部
７      清掃部
８      基台
８ａ      内側面
９      清掃部材
１８，２８      凸部
１９，２７      凹部  
２３      連結孔
【図１】
2011024880.tif 000003
【図２】
2011024880.tif 000004
【図３】
2011024880.tif 000005
【図４】
2011024880.tif 000006
【図５】
2011024880.tif 000007
【図６】
2011024880.tif 000008
【図７】
2011024880.tif 000009
【図８】
2011024880.tif 000010